(57)【特許請求の範囲】
【請求項１】
衛生用紙の取出口に設けられた透明又は半透明のフィルムを有する衛生用紙入りカートンにおいて，
前記フィルムは，情報要素が印刷表示されている情報要素表示フィルムであり，
前記情報要素表示フィルムは，前記情報要素が白色のインクで印刷された白字のみで示されている
衛生用紙入りカートン。
【請求項２】
前記衛生用紙入りカートンの内面は漂白されていない
請求項１に記載の衛生用紙入りカートン。
【請求項３】
前記情報要素が，帯電防止剤入りインクで印刷されている
請求項１に記載の衛生用紙入りカートン。
【請求項４】
前記情報要素は，製品情報，企業情報，広告宣伝情報，注意表記，リサイクル表示，又はキャッチフレーズのいずれか一つ以上を含む
請求項１乃至３のいずれかに記載の衛生用紙入りカートン。
【発明の詳細な説明】
【技術分野】
【０００１】
本発明は，衛生用紙入りカートンに関する。具体的に説明すると，本発明は，衛生用紙の取出口に設けられたフィルムに情報要素が印刷表示されている衛生用紙入りカートンに関する。
【背景技術】
【０００２】
従来から，衛生用紙のカートンの底面に，注意表示や製品情報を表示した衛生用紙入りカートンが知られている。企業情報，リサイクル表示，又は品質表示といった情報要素は，カートンの使用状況や見栄えに関するデザインを考慮すると，カートンの底面に印刷されることが適当であるとされていた。
【０００３】
特許文献１に開示された衛生用紙入りカートンは，その天面に切り取り線で区切られた切取部が設けられ，切取部を切り取ると，衛生用紙の取出口が形成されるようになっている。そして，引用文献１に開示された衛生紙入りカートンでは，切取部の表面に品質表示，商品識別コード，又は使用上の注意書きを表示している。これにより，引用文献１に開示された発明では，切取部を除くカートンの天面，側面，及び底面に，製品の広告を印刷するスペースを十分に確保できるとされている。また，切取部は，使用開始時にカートン本体から切り離されるものであるため，切取部の表面に企業の消費者キャンペーンの申し込みシールや，引換券を印刷することにより，使用者に対して衛生用紙の使用状況に関わらずキャンペーンに応募させることが可能となる。
【先行技術文献】
【特許文献】
【０００４】
【特許文献１】特許第３７００７６４号公報
【発明の概要】
【発明が解決しようとする課題】
【０００５】
しかしながら，切取部の多くは，切り離され廃棄処分される場合が多い。そのため，切取部に，品質表示，商品識別コード，使用上の注意書き，又は広告表示といった情報要素が表示されている場合，カートンの使用中に使用者が情報要素を認識することができないという問題点があった。
【０００６】
また，カートンの底面に情報要素を表示した場合，底面の表示領域の制限により，情報要素を効果的に記載できないという問題があった。そのため，表示内容やデザインが制限され，使用者に効果的に注意喚起，情報伝達をすることができなかった。また，カートンの底面は，使用中には使用者から見えない位置にあるため，衛生用紙をカートンから取り出すに際し使用者が情報要素を認識することは困難であった。
【０００７】
このため，現在は，衛生用紙の使用開始時だけでなく，使用開始時から使用終了時まで，品質表示，商品識別コード，又は使用上の注意書きといった情報要素を効果的に表示することができる衛生用紙入りカートンが求められている。
【課題を解決するための手段】
【０００８】
そこで，本発明者は，上記従来技術の問題点を解消するために鋭意検討した結果，衛生用紙入りカートンの取出口のフィルム部に品質表示，商品識別コード，使用上の注意書き，又は広告表示といった情報要素を表示することにより，衛生用紙の使用開始時から使用終了時まで，効果的に，注意喚起，情報伝達をすることができるという知見を得た。
【０００９】
本発明は，衛生用紙の取出口に設けられたフィルムに情報要素が印刷表示されている衛生用紙入りカートンに関する。フィルムは，衛生用紙入りカートンにおいて衛生用紙の取出口に設けられている。使用者が衛生用紙を引き出す際に最も視線を集中させる場所は，衛生用紙と取り出すために手を伸ばした先にある取出口の周辺のフィルム部である。本発明に関する衛生用紙入りカートンは，フィルムに情報要素が印刷表示されているため，衛生用紙の使用開始時から使用終了時まで，使用者に効果的に注意喚起及び情報伝達をすることができる。
【００１０】
本発明の好ましい態様は，情報要素が，香料入りインクで印刷されている。情報要素を香料入りインクで印刷することにより，衛生用紙を引き出す際の，衛生用紙に特有の不快な臭気が抑制される。また，衛生用紙を引き出す際に，香りが発散され，香りによるセラピー効果やストレス解消効果が期待できる。
【００１１】
本発明の第１の側面の好ましい態様は，情報要素が，帯電防止剤入りインクで印刷されている。情報要素を帯電防止剤入りインクで印刷することにより，フィルムに塵埃が付着することが抑制される。そのため，使用者は，衛生用紙を取り出す際，衛生用紙に塵埃が付着することなく衛生用紙を使用することができる。
【００１２】
本発明の好ましい態様は，情報要素は，製品情報，企業情報，広告宣伝情報，注意表記，リサイクル表示，又はキャッチフレーズのいずれか一つ以上を含むものである。製品情報には，例えば，製品の品質，原材料，使用方法がある。企業情報には，例えば，企業名，企業理念，企業の電話番号，ＵＲＬ，二次元バーコードがある。広告宣伝情報には，例えば，関連商品の広告や，企業の広告，催事の告知がある。注意表記には，例えば，カートンの使い方の説明，カートンの使用後の解体方法，カートンの使用中及び使用後の注意喚起があげられる。リサイクル表示には，例えば，カートンの処分時の分別方法があげられる。キャッチフレーズには，例えば，スポーツイベントの応援フレーズや，子供向けのメッセージがあげられる。フィルムには，使用者に必要な情報，又は，季節や，イベントに合わせたキャッチフレーズといった多様な情報要素を印刷することができる。
【発明の効果】
【００１３】
本発明によれば，情報要素を，使用者が衛生用紙を引き出す際に最も視線を集中させる場所に表示することができるため，衛生用紙の使用開始時から使用終了時まで，使用者に効果的に注意喚起及び情報伝達をすることができるティシュペーパーカートンを提供することができる。
【図面の簡単な説明】
【００１４】
【図１】図１は，衛生用紙入りカートンの天面から切取部１０を切り離した状態の展開図の例である。
【図２】図２は，本発明の衛生用紙入りカートンの一例の斜視図を示す。衛生用紙入りカートンの天面から切取部１０を切り離した状態の斜視図の例である。
【図３】図３は，本発明の衛生用紙入りカートンの一例の斜視図を示す。衛生用紙入りカートンの天面から切取部１０を切り離した状態の斜視図の例である。
【発明を実施するための形態】
【００１５】
以下，図面を用いて本発明を実施するための形態について説明する。本発明は，以下に説明する形態に限定されるものではなく，以下の形態から当業者が自明な範囲で適宜修正したものも含む。
【００１６】
本発明は，衛生用紙の取出口３０に設けられたフィルム３１に情報要素１００，１０１，１０２が印刷表示されている衛生用紙入りカートンに関する。衛生用紙入りカートンの形状は，通常，直方体形状である。しかし，本発明の衛生用紙入りカートンの形状は，三角柱状，四角柱状，八角柱状，又は円柱状でもよい。図１に示す直方体形状のカートンは，組み立てた際に対向する天面部１と底面部２，及び，その天面部１と底面部２の端部に垂直に接続する一対の短側面部３と一対の長側面部４からなる。本明細書では，便宜的に，端面の長さが短い側面を短側面部といい，端面の長さが長い側面を長側面部という。しかし，短側面部３と長側面部４は，同じ形状であってもよい。衛生用紙は，これらの面によって区画された内部空間に収納される。
【００１７】
本発明の衛生用紙入りカートンに収納される衛生用紙としては，例えば，ティシュペーパー，保湿ティシュ，ちり紙，ペーパータオル（キッチンタオル，キッチンシート，あくとりシート），又はトイレットペーパーといった紙類があげられる。
【００１８】
本発明の衛生用紙入りカートンは，少なくとも一面に，衛生用紙の取出口３０が設けられている。図１から図３には，天面部１に取出口３０が設けられた直方体形状のカートンの例が示されている。取出口３０は，カートンの使用前には，切り取り線で区切られた切取部１０により覆われている。そして，カートンの使用を開始するに際し，切り込み線に沿って取出口３０を覆う切取部１０を切り離すことにより，取出口３０が形成される。取出口３０が形成されると，カートンの内部から衛生用紙を引き出すことができるようになる。
【００１９】
取出口３０には，フィルム３１が設けられている。カートン内に収納されている衛生用紙は，フィルム３１の中央部に設けられたスリット３２を通して，外部に引き出される。フィルム３１は取出口３０の外周に沿って貼設されていても良く，取出口３０の周辺部にも貼設されていても良い。フィルム３１の貼設方法は通常の方法を用いることができ，例えば，糊によって貼設される。取出口３０に設けられているフィルム３１を構成する材料としては，例えば，ポリエチレン，ポリプロピレン，ポリ塩化ビニル，ポリエステルといったプラスチック素材があげられる。フィルム３１は，透明又は半透明とすることが好ましいが，有色であり不透明なものとしてもよい。フィルム３１は，外部の塵埃が取出口３０から入ることを防止し，カートン内の衛生用紙を衛生的に保つ働きをする。
【００２０】
フィルム３１は，衛生用紙入りカートンにおいて衛生用紙の取出口３０に設けられている。情報要素表示フィルムとは，フィルム３１に情報要素１００，１０１，１０２が印刷されているものをいう。使用者が衛生用紙を引き出す際に最も視線を集中させる場所は，衛生用紙を取り出すために手を伸ばした先にあるスリットの周辺のフィルム３１である。そのため，フィルム３１に情報要素１００，１０１，１０２を印刷表示することで，使用者に効果的に注意喚起及び情報伝達をすることができる。さらに，フィルム３１は，切取部１０のように衛生用紙の使用開始時に捨てられることなく，使用開始時から使用終了時まで取出口３０に存在する。そのため，フィルム３１に情報要素１００，１０１，１０２を刷表示することで，衛生用紙の使用開始時から使用終了時までの長期間に渡り，情報要素１００，１０１，１０２を表示することができる。
【００２１】
フィルム３１に印刷表示する情報要素１００，１０１，１０２としては，例えば，製品情報，企業情報，広告宣伝情報，注意表記，リサイクル表示，又はキャッチフレーズがあげられる。製品情報には，例えば，製品の品質，原材料，及び使用方法がある。企業情報には，例えば，企業名，企業理念，企業の電話番号，ＵＲＬ，及び二次元バーコードがある。広告宣伝情報には，例えば，関連商品の広告や，企業の広告，及び催事の告知がある。注意表記には，例えば，カートンの使い方の説明，カートンの使用後の解体方法，及びカートンの使用中及び使用後の注意喚起があげられる。リサイクル表示には，例えば，カートンの処分時の分別方法があげられる。キャッチフレーズには，例えば，スポーツイベントの応援フレーズ，及び子供向けのメッセージがあげられる。フィルム３１には，使用者に必要な情報，又は季節や，イベントに合わせたキャッチフレーズといった多様な情報要素１００，１０１，１０２を印刷することができる。
【００２２】
情報要素１００，１０１，１０２は，フィルム３１の表面と裏面のどちらの面に印刷してもよい。図２に示される直方体形状のカートンのフィルム３１においては，衛生用紙を内包している面がフィルム３１の裏面であり，外部に面している面がフィルム３１の表面である。ただし，フィルム３１の裏面に情報要素１００，１０１，１０２を印刷する場合には，フィルム３１を透明又は半透明とし，カートンの天面方向から使用者が情報要素１００，１０１，１０２を視認できることが望ましい。フィルム３１の裏面に情報要素１００，１０１，１０２を印刷した場合，外部からの接触刺激や水の飛び散りによるインクの色あせ，滲みが回避できる。一方，フィルム３１の表面に情報要素１００，１０１，１０２を印刷した場合，文字の輪郭や色彩を鮮やかにすることができ，デザイン性を高めることができる。尚，情報要素１００，１０１，１０２は，通常の方法を用いてフィルム３１に印刷することができる。
【００２３】
フィルム３１は，フィルム３１の中央部のスリット３２により２つの領域に分割される。図２に示したように，情報要素１００，１０１は，分割されたフィルム３１の領域の各々に印刷することができる。また，図３に示したように，分割されたフィルム３１の領域に，一つの情報要素１０２を一体として印刷することもできる。
【００２４】
フィルム３１に情報要素１００，１０１，１０２を印刷するためのインクには，通常のプラスチック素材に用いられるものが使用される。インクは，耐水性のものであればより好ましい。インクは黒色，赤色，青色，緑色といった多色のインクの中から選んだ１種類以上のインクを使用することができる。また，インクは，光料を混合させたものを用いても良い。光料として，例えば，蓄光塗料や，蛍光塗料，光反射塗料があげられる。光料を混合させたインクで情報要素１００，１０１，１０２を印刷した場合，情報要素１００，１０１，１０２の表示は，目立ちやすくなり，デザイン性も高くなる。さらに，光料を混合させたインクで情報要素を印刷した場合，暗い場所においても情報要素１００，１０１，１０２を浮き立たせて表示こともできる。この場合，情報要素１００，１０１，１０２の表示は，情報伝達に加えて，カートンの存在位置を示す指標となることができる。
【００２５】
フィルム３１に情報要素１００，１０１，１０２を印刷する際は，インクは白字で印刷することもできる。通常衛生用紙は白色であるため，インクが白字であれば，使用中に印刷表示は目立たない。しかし，この場合，白色の衛生用紙を使い終わった後に，情報要素１００，１０１，１０２がはじめて使用者の目に入ることになる。そのため，白字で情報要素を印刷表示した場合は，解体方法，及びリサイクル表示といった衛生用紙の使用後に使用者に伝えたい情報要素１００，１０１，１０２を効果的に表示することができる。また，衛生用紙入りカートンは，通常，木材パルプ，及び古紙といった安価な原料を使用して作られるため，カートン紙の色調は黒みを帯びている。そのため，カートンの製造時にカートンの表面を漂白する処理が行われることがある。しかし，情報要素１００，１０１，１０２を白字で印刷表示する場合，カートンの内面を漂白する処理を行わなくてもよく，製造工程を簡略化することができる。
【００２６】
本発明の衛生用紙入りカートンは，通常，木材パルプ，古紙といった原料を使用した紙材料から作られるが，例えばプラスチックといった透明な素材から作られても良い。この場合，取出口３０に周辺部に設けられたフィルム３１と透明な素材とが重なった部分に情報要素１００，１０１，１０２を印刷表示することもできる。
【００２７】
本発明の好ましい態様は，情報要素１００，１０１，１０２が，香料入りインクで印刷されている。情報要素１００，１０１，１０２を香料入りインクで印刷することにより，衛生用紙を引き出す際の，衛生用紙に特有の不快な臭気が抑制される。また，衛生用紙を引き出す際に，香りが発散され，香りによるセラピー効果やストレス解消効果が期待できる。
【００２８】
取出口３０に設けられているフィルム３１は，販売時，使用開始前は切取部に覆われている。そのため，フィルム３１に香料入りインクで情報要素１００，１０１，１０２を印刷した場合でも，使用時まで香料成分がフィルム３１に保持される。また，特定の香りを世の中に広めたい化粧品会社や家庭日用品会社が，香料入りインクで広告宣伝情報を印刷表示することにより，香りを訴求・宣伝する効果も得られる。
【００２９】
本発明で使用する香料は，香りの持続性があり，嗜好性の高い香料が好ましい。具体的には，ローズ，ラベンダー，又はジャスミンといったフローラル系香料，ピーチ，アップル，マンゴー，又はグレープといったフルーツ系香料，セダーウッド，サンダルウッド，ヒノキ，又はグアイヤックウッドといったウッディ系香料，及びレモン，ユズ，又はライムといったシトラス系香料があげられる。これらは天然からの抽出・精製した１種のみを用いても良いし，これらの香料を複数種類混合したものを用いても良い。また，持続性，嗜好性の向上の為に，合成により得られる香気成分を含有していてもよい。香料成分に加えて，ローズマリー，ヒマワリ種子，又は茶といった天然由来の抽出物で消臭効果を有する素材や，両面界面活性剤系消臭剤，又はミネラル系消臭剤といった合成系の消臭剤を適宜添加しても良い。
【００３０】
香料はインク１００重量部に対して，香料を０．０１重量部以上１０重量部以下，好ましくは，０．１重量部以上１重量部以下，添加することができる。香料インクは，通常の方法を用いて製造することができ，香料又は消臭剤はインクに直接混合しても，香料をカプセルに内包して混合しても良い。
【００３１】
本発明の好ましい態様は，情報要素１００，１０１，１０２が，帯電防止剤入りインクで印刷されている。情報要素１００，１０１，１０２を帯電防止剤入りインクで印刷することにより，フィルム３１に塵埃が付着することが抑制される。そのため，使用者は，衛生用紙を取り出す際，衛生用紙に塵埃が付着することなく，衛生的に衛生用紙を使用することができる。
【００３２】
本発明で使用する帯電防止剤の例として，酸化スズ，酸化スズ・酸化アンチモン複合酸化物，又は酸化スズ・酸化インジウム複合酸化物の金属酸化物や，四級アンモニウム塩といった帯電防止剤があげられる。これらの帯電防止剤は，１種のみを用いても良いし，これらの帯電防止剤を複数種類混合したものを用いても良い。
【００３３】
帯電防止剤は，インク１００重量部に対して，帯電防止剤を０．０１重量部以上１０重量部以下，好ましくは，０．１重量部以上１重量部以下，添加することができる。
【産業上の利用可能性】
【００３４】
本発明に係る衛生用紙入りカートンは，ティシュペーパー，保湿ティシュ，ちり紙，又はペーパータオル入りのカートンに適用することができる。従って，本発明は，衛生消耗品に関する産業において好適に利用し得る。
【符号の説明】
【００３５】
１        天面部
２        底面部
３        短側面部
４        長側面部
１０      切取部
３０      取出口
３１      フィルム
３２      スリット
１００    情報要素
１０１    情報要素
１０２    情報要素
【図１】
0005821386.tif 000002
【図２】
0005821386.tif 000003
【図３】
0005821386.tif 000004